(57)【要約】【課題】光の照射が抑制される周辺領域を小さくすることが可能な照明装置及び表示装置を提供する。【解決手段】第１方向及び第１方向と交差する第２方向が成す第１主面と、第１主面と反対側の第２主面と、第１側面と、を有する第１導光板と、第１導光板と対向して配置され、少なくとも第１方向の長さが、第１導光板の第１方向の長さよりも長い第２導光板と、第１側面と対向する少なくとも１つ以上の第１光源と、第１光源と第２導光板との間に設けられた第１上部反射層と、第２導光板の、第１上部反射層に重なる領域に設けられ、光を散乱する第１上部散乱領域と、を有する。【選択図】図５
2019087315.tif 000002
【特許請求の範囲】
【請求項１】
第１方向及び前記第１方向と交差する第２方向が成す第１主面と、前記第１主面と反対側の第２主面と、第１側面と、を有する第１導光板と、
前記第１導光板と対向して配置され、少なくとも前記第１方向の長さが、前記第１導光板の前記第１方向の長さよりも長い第２導光板と、
前記第１側面と対向する少なくとも１つ以上の第１光源と、
前記第１光源と前記第２導光板との間に設けられた第１上部反射層と、
前記第２導光板の、前記第１上部反射層に重なる領域に設けられ、光を散乱する第１上部散乱領域と、を有する照明装置。
【請求項２】
前記第１導光板は、前記第１側面と対向する第２側面を有し、
前記第２側面と対向する複数の第２光源と、
前記第２光源と前記第２導光板との間に設けられた第２上部反射層と、
前記第２導光板の、前記第２上部反射層に重なる領域に設けられ、光を散乱する第２上部散乱領域と、を有する請求項１に記載の照明装置。
【請求項３】
前記第１導光板の前記第２主面に、下部反射層が設けられている請求項１又は請求項２に記載の照明装置。
【請求項４】
前記第１導光板には、前記下部反射層と重なる領域に、光を散乱する下部散乱領域が設けられている請求項３に記載の照明装置。
【請求項５】
前記第１導光板と前記第２導光板とは、光学接着層で接着されている請求項１乃至請求項４のいずれか１項に記載の照明装置。
【請求項６】
前記第１上部反射層の端部は、前記第１側面よりも内側に配置される請求項１乃至請求項５のいずれか１項に記載の照明装置。
【請求項７】
前記第１上部反射層の端部には、遮光層が設けられる請求項１乃至請求項６のいずれか１項に記載の照明装置。
【請求項８】
前記第１上部反射層及び前記第１上部散乱領域は、前記第１方向において前記第１光源よりも外側に設けられている請求項１乃至請求項７のいずれか１項に記載の照明装置。
【請求項９】
前記第１導光板の前記第２主面に対向する１つの接続基板が設けられ、
前記第１光源及び前記第２光源は、前記接続基板に設けられる請求項２に記載の照明装置。
【請求項１０】
前記第２導光板の厚さは、前記第１導光板の厚さよりも薄い、請求項１乃至請求項９のいずれか１項に記載の照明装置。
【請求項１１】
前記第１光源は、前記第２方向に複数配置されており、
前記第１光源の間の前記第１側面には、側面反射層が設けられている請求項１乃至請求項１０のいずれか１項に記載の照明装置。
【請求項１２】
前記第１光源は、前記第２方向に複数配置されており、
前記第１側面には、前記第１方向に突出し、前記第２方向に隣り合う前記第１光源の間に配置された突出部が設けられ、
前記突出部の端部及び前記第１光源と対向する側面反射層が設けられている請求項１乃至請求項１０のいずれか１項に記載の照明装置。
【請求項１３】
前記第１導光板及び前記第２導光板の少なくとも一方は、平面視で円形状である請求項１に記載の照明装置。
【請求項１４】
前記第２導光板には、前記第１導光板と重なる位置に散乱領域が設けられる請求項１３に記載の照明装置。
【請求項１５】
第１方向及び前記第１方向と交差する第２方向が成す第１主面と、前記第１主面と反対側の第２主面と、第１側面と、前記第１側面から前記第１方向に突出する突出部と、を有する導光板と、
前記第１側面と対向する少なくとも１つ以上の第１光源と、
前記第１光源と前記突出部との間に設けられた第１上部反射層と、
前記突出部の、前記第１上部反射層に重なる領域に設けられる第１上部散乱領域と、を有する照明装置。
【請求項１６】
前記第１上部反射層の端部は、前記第１側面と接する請求項１５に記載の照明装置。
【請求項１７】
請求項１乃至請求項１４のいずれか１項に記載の照明装置と、
前記照明装置に積層された表示パネルとを有し、
前記表示パネルは、
第１基材と、前記第１基材と対向する第２基材と、前記第１基材と前記第２基材との間に設けられた表示機能層とを有する、表示装置。
【請求項１８】
前記第１基材及び前記第２基材は、前記第２導光板の側面を覆う、請求項１７に記載の表示装置。
【請求項１９】
前記第１基材及び前記第２基材と、前記第２導光板の側面との間に枠体が設けられている、請求項１８に記載の表示装置。
【発明の詳細な説明】
【技術分野】
【０００１】
本発明は、照明装置及び表示装置に関する。
【背景技術】
【０００２】
導光板と、導光板の側面から導光板の内部へ光を照射する光源と、を備えるエッジライト型の照明装置が知られている（例えば、特許文献１参照）。エッジライト型の照明装置は、例えば、光源からの光を散乱させる散乱部が導光板の下面に形成される。散乱部は、導光板の上面から光が透過するように、光を散乱させる。
【先行技術文献】
【特許文献】
【０００３】
【特許文献１】特開２００９−１９３８９２号公報
【発明の概要】
【発明が解決しようとする課題】
【０００４】
表示装置では、表示領域の外側の周辺領域を小さくすることが要求されている。しかし、エッジライト型の照明装置では、導光板の周辺に光源が配置されており、光源が設けられた領域で上面に光を照射することが困難である。このように、光源による制約が大きいため、光の照射が抑制される周辺領域を小さくすることが困難となる可能性がある。
【０００５】
本発明の目的は、光の照射が抑制される周辺領域を小さくすることが可能な照明装置及び表示装置を提供することにある。
【課題を解決するための手段】
【０００６】
本発明の一態様の照明装置は、第１方向及び前記第１方向と交差する第２方向が成す第１主面と、前記第１主面と反対側の第２主面と、第１側面と、を有する第１導光板と、前記第１導光板と対向して配置され、少なくとも前記第１方向の長さが、前記第１導光板の前記第１方向の長さよりも長い第２導光板と、前記第１側面と対向する少なくとも１つ以上の第１光源と、前記第１光源と前記第２導光板との間に設けられた第１上部反射層と、前記第２導光板の、前記第１上部反射層に重なる領域に設けられ、光を散乱する第１上部散乱領域と、を有する。
【０００７】
本発明の一態様の照明装置は、第１方向及び前記第１方向と交差する第２方向が成す第１主面と、前記第１主面と反対側の第２主面と、第１側面と、前記第１側面から前記第１方向に突出する突出部と、を有する導光板と、前記第１側面と対向する少なくとも１つ以上の第１光源と、前記第１光源と前記突出部との間に設けられた第１上部反射層と、前記突出部の、前記第１上部反射層に重なる領域に設けられる第１上部散乱領域と、を有する。
【０００８】
本発明の一態様の表示装置は、上記の照明装置と、前記照明装置に積層された表示パネルとを有し、前記表示パネルは、第１基材と、前記第１基材と対向する第２基材と、前記第１基材と前記第２基材との間に設けられた表示機能層とを有する。
【図面の簡単な説明】
【０００９】
【図１】図１は、第１実施形態に係る表示装置の概略構成を示す斜視図である。
【図２】図２は、第１実施形態に係る表示装置の一構成例を示すブロック図である。
【図３】図３は、第１実施形態に係る第１導光板及び各光源の平面図である。
【図４】図４は、第１実施形態に係る第２導光板の平面図である。
【図５】図５は、図３及び図４のＡ−Ａ線に沿って切断したときの表示装置の断面図である。
【図６】図６は、第１実施形態の変形例に係る表示装置の断面図である。
【図７】図７は、第２実施形態に係る表示装置の概略断面構造を示す断面図である。
【図８】図８は、第２実施形態の変形例に係る表示装置の概略断面構造を示す断面図である。
【図９】図９は、第３実施形態に係る表示装置の概略断面構造を示す断面図である。
【図１０】図１０は、第４実施形態に係る表示装置の概略断面構造を示す断面図である。
【図１１】図１１は、第４実施形態の第１変形例に係る表示装置の概略断面構造を示す断面図である。
【図１２】図１２は、第４実施形態の第２変形例に係る表示装置の概略断面構造を示す断面図である。
【図１３】図１３は、第５実施形態に係る表示装置の概略断面構造を示す断面図である。
【図１４】図１４は、図１３のＢ−Ｂ線に沿って切断したときの断面図である。
【図１５】図１５は、第５実施形態の変形例に係る第１導光板及び光源の平面図である。
【図１６】図１６は、第６実施形態に係るバックライトの平面図である。
【図１７】図１７は、図１６のＣ−Ｃ断面図である。
【図１８】図１８は、第６実施形態の第１変形例に係るバックライトの平面図である。
【図１９】図１９は、図１８のＤ−Ｄ断面図である。
【図２０】図２０は、第６実施形態の第２変形例に係るバックライトの概略断面構造を示す断面図である。
【発明を実施するための形態】
【００１０】
発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成要素は適宜組み合わせることが可能である。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１１】
（第１実施形態）
図１は、第１実施形態に係る表示装置の概略構成を示す斜視図である。図２は、第１実施形態に係る表示装置の一構成例を示すブロック図である。以下、ＸＹＺ座標系を用いて、各構成要素の形状や配置を説明する。以下においては、水平面内の一方向をＸ方向（第１方向）として説明する。また、水平面内においてＸ方向と交差する方向をＹ方向（第２方向）として説明する。また、Ｘ方向及びＹ方向のそれぞれと直交する方向をＺ方向（第３方向）として説明する。また、本明細書において、「平面視」とは、Ｚ方向から見た場合を示す。
【００１２】
図１に示すように、表示装置１は、表示パネル２と、バックライト３とを有する。表示パネル２は、第１基材１０と、第２基材１１と、第１偏光板１２と、第２偏光板１３と、を有する。表示パネル２の各構成要素は、第１偏光板１２、第１基材１０、第２基材１１、及び第２偏光板１３の順にＺ方向に並んで配置される。第２基材１１は、第１基材１０と対向する。第１基材１０と第２基材１１とが対向する対向領域の周縁部には、枠状のシール材１９が設けられている。第１基材１０と第２基材１１とシール材１９とによって囲まれた空間には、表示機能層である液晶層２５（図２参照）が封入される。シール材１９の内側には、バックライト３からの光を透過させて画像を表示する表示領域Ａｄが設けられる。表示領域Ａｄの外側は、光の透過が抑制される周辺領域Ｇｄである。
【００１３】
図１に示すように、バックライト３は、プリズムシート１４と、拡散板１５と、第１導光板３１と、第２導光板３２と、第１照射部５１と、第２照射部５２と、下部反射層６２と、第１上部反射層６３と、第２上部反射層６４と、を備える。なお、以下の説明においては、第１照射部５１、第２照射部５２を適宜、各照射部と称する。図３に示すように、バックライト３の各構成要素は、Ｚ方向に向かって下部反射層６２、第１導光板３１、第１上部反射層６３及び第２上部反射層６４、第２導光板３２、拡散板１５、及びプリズムシート１４の順番に並んで配置される。
【００１４】
バックライト３は、いわゆるサイドエッジ型の照明装置である。すなわち、第１照射部５１は、複数の第１光源５５を含む。第１照射部５１は、第１導光板３１の第１側面３１ａに配置される。第２照射部５２も同様に、複数の第２光源５６を含む（図１では１つの第２光源５６のみ示す）。第２照射部５２は、第１導光板３１の第２側面３１ｂに配置される。第１照射部５１及び第２照射部５２からの光は、第１導光板３１及び第２導光板３２を通って、表示パネル２に向けて照射される。第１上部反射層６３は、第１光源５５と第２導光板３２との間に配置される。第２上部反射層６４は、第２光源５６と第２導光板３２との間に配置される。
【００１５】
図２に示すように、表示装置１は、さらに画像信号制御部９０と、階調制御部９２と、ゲート線駆動部９４と、データ線駆動部９６と、光源駆動部９８と、を有する。表示パネル２及びバックライト３の駆動は、画像信号制御部９０、階調制御部９２、ゲート線駆動部９４、データ線駆動部９６、及び光源駆動部９８によって制御される。
【００１６】
表示領域Ａｄには、複数のゲート線２１と複数のデータ線２２とが格子状に設けられる。複数のゲート線２１は、それぞれＸ方向（図１参照）に延びており、Ｙ方向（図１参照）に配列される。複数のデータ線２２は、それぞれＹ方向に延びており、Ｘ方向に配列される。ゲート線２１とデータ線２２との各交差部には薄膜トランジスタ２３が設けられる。薄膜トランジスタ２３のゲートとソースは、ゲート線２１とデータ線２２にそれぞれ電気的に接続される。薄膜トランジスタ２３のドレインは、画素電極２４と電気的に接続される。
【００１７】
表示領域Ａｄには、各画素電極２４に共通の共通電極２６が設けられる。共通電極２６には、図示略の電源部によってコモン電位Ｖｃｏｍが供給される。液晶層２５の液晶分子の配向は、画素電極２４と共通電極２６との間に発生する電界によって制御される。これにより、液晶層２５を透過する光が副画素ＰＸごとに変調する。ここで、１つの画素電極２４と共通電極２６とによって液晶層２５の配向が制御される領域が一つの副画素ＰＸである。Ｘ方向及びＹ方向にマトリクス状に配置された複数の副画素ＰＸによって表示領域Ａｄが形成される。
【００１８】
画像信号制御部９０は、外部から入力された画像信号ＶＳに基づいて画像制御信号ＶＣＳと、バックライト制御信号ＬＣＳとを生成する。画像信号ＶＳは、各副画素ＰＸの階調値に関する階調情報を含む。画像制御信号ＶＣＳは、表示パネル２の各副画素ＰＸにどのような階調値を与えるかを定める信号である。画像制御信号ＶＣＳは、各副画素ＰＸの階調値に関する階調情報を含む。
【００１９】
階調制御部９２は画像制御信号ＶＣＳに基づいて水平駆動信号ＨＤＳと垂直駆動信号ＶＤＳとを生成する。ゲート線駆動部９４は、水平駆動信号ＨＤＳに基づいて、表示パネル２の複数のゲート線２１を順次選択する。データ線駆動部９６は、垂直駆動信号ＶＤＳに基づいて、表示パネル２の複数のデータ線２２に各副画素ＰＸに応じた階調信号を供給する。これにより、表示パネル２は、１フレーム分の画像を表示する。
【００２０】
バックライト制御信号ＬＣＳは、各光源から照射される光の光量の情報を含む信号である。また、バックライト制御信号ＬＣＳは、各光源が光を照射するタイミングの情報を含む信号である。光源駆動部９８は、バックライト制御信号ＬＣＳに基づいて、バックライト３の動作を制御する。各第１光源５５及び第２光源５６は、バックライト制御信号ＬＣＳに基づいて、指定された光量で光Ｌ１、Ｌ２を照射する。これにより、バックライト３は、表示画像の明るさに応じた光量の光を、表示パネル２に向けて照射することができる。
【００２１】
次に、バックライト３の詳細な構成について説明する。図３は、第１実施形態に係る第１導光板及び各光源の平面図である。図４は、第１実施形態に係る第２導光板の平面図である。図５は、図３及び図４のＡ−Ａ線に沿って切断したときの表示装置の断面図である。
【００２２】
図５に示すように、第１導光板３１は、第１主面３１ｃと、第２主面３１ｄと、第１側面３１ａと、第２側面３１ｂとを有する。第１主面３１ｃは、Ｘ方向とＹ方向とが成す平面である。第２主面３１ｄは、第１主面３１ｃと反対側の面である。第１側面３１ａは、第１主面３１ｃと第２主面３１ｄとの間の面であり、Ｘ方向と交差する。第２側面３１ｂは、第１側面３１ａと対向する面である。第２主面３１ｄは、溝４７、４８が形成されていない領域で形成される面である。第１主面３１ｃと、第２主面３１ｄとは、実質的に平行に設けられる。
【００２３】
第２導光板３２も同様に、第１主面３２ｃと、第２主面３２ｄと、第１側面３２ａと、第２側面３２ｂとを有する。第１主面３２ｃは、Ｘ方向とＹ方向とが成す平面である。第２主面３２ｄは、第１主面３２ｃと反対側の面である。第１側面３２ａは、第１主面３２ｃと第２主面３２ｄとの間の面であり、Ｘ方向と交差する。第２側面３２ｂは、第１側面３２ａと対向する面である。第１導光板３１及び第２導光板３２は、例えば、ポリカーボネート又はアクリルの板部材である。第２主面３２ｄは、溝４５、４６が形成されていない領域で形成される面である。第１主面３２ｃと、第２主面３２ｄとは、実質的に平行に設けられる。
【００２４】
第２導光板３２の第２主面３２ｄは、第１導光板３１の第１主面３１ｃと対向する。第２導光板３２と第１導光板３１とは、光学接着層３５を介して接着される。光学接着層３５は、例えば、透光性の両面粘着シート（ＯＣＡ：Optical  Clear  Adhesive）である。これに限定されず、光学接着層３５は、例えば、アクリル系の透光性樹脂（ＯＣＲ：Optical  Clear  Resin）でもよい。光学接着層３５は、第１導光板３１及び第２導光板３２と屈折率及び線膨張係数が近い光学接着部材であればよい。
【００２５】
図３に示すように、第１導光板３１は、平面視で矩形状である。第１照射部５１の複数の第１光源５５は、第１側面３１ａと対向して配置される。第１光源５５は、第１側面３１ａに沿ってＹ方向に間隔を有して配置される。第１光源５５は、第１側面３１ａから第２側面３１ｂに向けて光Ｌ１（図５参照）を照射する。また、第１光源５５の数は、適宜変更することができる。第１光源５５は、少なくとも１つ以上であればよく、例えば、５つ以上であってもよい。
【００２６】
また、第２照射部５２の複数の第２光源５６は、第２側面３１ｂと対向して配置される。第２光源５６は、第２側面３１ｂに沿ってＹ方向に間隔を有して配置される。第２光源５６は、第２側面３１ｂから第１側面３１ａに向けて光Ｌ２（図５参照）を照射する。第２光源５６の数は、第１光源５５と同様に、適宜変更することができる。第１光源５５の数と第２光源５６の数は、異なっていてもよい。第１光源５５及び第２光源５６は、例えば、発光ダイオード（ＬＥＤ：Light  Emitting  Diode）である。
【００２７】
第１側面３１ａには、隣り合う第１光源５５の間に側面反射層６１が設けられる。また、第２側面３１ｂには、隣り合う第２光源５６の間に側面反射層６１が設けられる。第１導光板３１の内部を進行する光Ｌ１、Ｌ２は側面反射層６１によって繰り返し反射される。これにより、光の利用効率を向上できる。
【００２８】
複数の第１光源５５は、ＦＰＣ（Flexible  Printed  Circuits）８２に設けられる。また、複数の第２光源５６は、ＦＰＣ８４に設けられる。ＦＰＣ８２、８４は、フレキシブルプリント回路基板である。ＦＰＣ８２、８４は、例えば、可撓性を有するポリイミドフィルムに導体箔を張り合わせた基板である。ＦＰＣ８２は、光源駆動部９８（図２参照）と、第１照射部５１の複数の第１光源５５とを接続する。ＦＰＣ８４は、光源駆動部９８と、第２照射部５２の複数の第２光源５６とを接続する。
【００２９】
図４に示すように、第２導光板３２も、平面視で矩形状である。図４及び図５に示すように、第２導光板３２の、少なくともＸ方向の長さは、第１導光板３１のＸ方向の長さよりも長い。すなわち、第２導光板３２の第１側面３２ａは、第１導光板３１の第１側面３１ａよりも外側に位置する。第２導光板３２の第２側面３２ｂは、第１導光板３１の第２側面３１ｂよりも外側に位置する。これにより、第２導光板３２は、平面視で第１光源５５及び第２光源５６と重なって配置される。
【００３０】
なお、本明細書において「外側」とは、例えばＸ方向において、第１導光板３１の第１側面３１ａと第２側面３１ｂとの中点に対して、離れる方向の位置や領域等をいう。「内側」とは、例えばＸ方向において、第１導光板３１の第１側面３１ａと第２側面３１ｂとの中点に対して、近づく方向の位置や領域等をいう。
【００３１】
図５に示すように、第１光源５５と第２導光板３２との間に第１上部反射層６３が設けられる。また、第２光源５６と第２導光板３２との間に第２上部反射層６４が設けられる。さらに、第１導光板３１の第２主面３１ｄには、下部反射層６２が設けられる。第１上部反射層６３及び第２上部反射層６４は、遮光性を有するフィルム状の基材の両面に、光を反射する反射層を形成した機能性フィルムである。第１上部反射層６３及び第２上部反射層６４は、入射する光を反射する機能と、遮光する機能を備える。フィルム状の基材としては、例えば、着色された樹脂フィルムを用いることができる。反射層としては、銀等の金属薄膜や多層膜などでもよい。下部反射層６２は、フィルム状の基材の少なくとも一方の面に、反射層が形成された機能性フィルムである。下部反射層６２は、第１上部反射層６３及び第２上部反射層６４と同様に、遮光性を有していてもよい。
【００３２】
第１上部反射層６３の一方の端部は、第１側面３１ａよりも内側に配置される。言い換えると、第１上部反射層６３は、第１導光板３１の第１主面３１ｃと、第２導光板３２の第２主面３２ｄとの間に挟まれて配置される。また、第１上部反射層６３の他方の端部は、第１側面３２ａと一致する位置に配置される。第１上部反射層６３の一方の端部には、遮光層６８が設けられる。遮光層６８は第１上部反射層６３と光学接着層３５との間に設けられる。このような構成により、第１上部反射層６３及び遮光層６８は、第１光源５５よりも内側に設けられる。このため、観察者から第１光源５５が視認されることを抑制できる。
【００３３】
第２上部反射層６４も第１上部反射層６３と同様の構成である。すなわち、第２上部反射層６４の一方の端部は、第２側面３１ｂよりも内側に配置される。また、第２上部反射層６４の他方の端部は、第２側面３２ｂと一致する位置に配置される。第２上部反射層６４の一方の端部には、遮光層６９が設けられる。これにより、観察者から第２光源５６が視認されることを抑制できる。
【００３４】
第１上部散乱領域４１は、第２導光板３２の、第１上部反射層６３に重なる領域に設けられる。第１上部散乱領域４１は、第２導光板３２の第２主面３２ｄに設けられた複数の溝４５により構成される。複数の溝４５は、Ｘ方向に配置され、第１側面３２ａに近づくにしたがって、Ｚ方向の深さが深くなる。
【００３５】
同様に、第２上部散乱領域４２は、第２導光板３２の、第２上部反射層６４に重なる領域に設けられる。第２上部散乱領域４２は、第２導光板３２の第２主面３２ｄに設けられた複数の溝４６により構成される。複数の溝４６は、Ｘ方向に配置され、第２側面３２ｂに近づくにしたがって、Ｚ方向の深さが深くなる。
【００３６】
下部散乱領域４３は、第１導光板３１の、下部反射層６２と重なる領域に設けられる。下部散乱領域４３は、第１導光板３１の第２主面３１ｄに設けられた複数の溝４７、４８により構成される。溝４７と溝４８とは、Ｘ方向に隣り合って設けられる。溝４７と溝４８とは、互いに反対方向に傾斜する面を有している。溝４７は、第１側面３１ａから離れるにしたがって、Ｚ方向の深さが深くなる。溝４８は、第２側面３１ｂから離れるにしたがって、Ｚ方向の深さが深くなる。溝４７は、主に、第１側面３１ａから第２側面３１ｂに向かう光を散乱させる。溝４８は、主に、第２側面３１ｂから第１側面３１ａに向かう光を散乱させる。
【００３７】
図４に示すように、第１上部散乱領域４１、下部散乱領域４３及び第２上部散乱領域４２は、Ｘ方向に隣り合って配置される。なお、これに限定されず、下部散乱領域４３の一部が、第１上部散乱領域４１と重なって設けられてもよいし、下部散乱領域４３の一部が、第２上部散乱領域４２と重なって設けられてもよい。また、第１上部散乱領域４１及び第２上部散乱領域４２は、第２導光板３２の、Ｙ方向の一方の端部から他方の端部まで設けられている。これにより、第１上部散乱領域４１は、複数の第１光源５５に重なって設けられ、かつ、隣り合う第１光源５５の間にも設けられる。第２上部散乱領域４２も、複数の第２光源５６に重なって設けられ、かつ、隣り合う第２光源５６の間にも設けられる。下部散乱領域４３も、第１導光板３１の、Ｙ方向の一方の端部から他方の端部まで設けられている。
【００３８】
図５に示すように、第２導光板３２の第１主面３２ｃに対向して、拡散板１５と、プリズムシート１４が設けられる。プリズムシート１４は、入射する光の出射方向を制御する光学シートである。プリズムシート１４は、例えば、表面にプリズムが形成されたアクリル系の樹脂フィルムである。拡散板１５は、入射する光を拡散させる光学フィルムである。拡散板１５は、例えば、表面にランダムな凹凸が形成されたアクリル樹脂フィルムである。
【００３９】
このような構成により、図５に示すように、第１光源５５から照射された光Ｌ１は、第１側面３１ａから第１導光板３１に入射する。光Ｌ１は、第１上部反射層６３の下面及び下部反射層６２で反射を繰り返しつつ第２側面３１ｂに向かって進行する。光Ｌ１の一部は、下部散乱領域４３で散乱される。散乱された光Ｌ３は、第２導光板３２の第１主面３２ｃから照射される。光Ｌ３は、拡散板１５とプリズムシート１４を通って、表示パネル２に入射する。
【００４０】
光Ｌ１の一部は、第２導光板３２に入射する。第２導光板３２に入射した光Ｌ１ａは、第２上部散乱領域４２で散乱される。散乱された光Ｌ４は、第２上部散乱領域４２と重なる位置で、第２導光板３２の第１主面３２ｃから照射される。光Ｌ４は、拡散板１５とプリズムシート１４を通って、表示パネル２に入射する。
【００４１】
同様に、第２光源５６から出射された光Ｌ２は、第２側面３１ｂから第１導光板３１に入射する。光Ｌ２は、第２上部反射層６４の下面及び下部反射層６２で反射を繰り返しつつ、第１側面３１ａに向かって進行する。光Ｌ２の一部は、下部散乱領域４３で散乱される。散乱された光Ｌ３は、第２導光板３２の第１主面３２ｃから照射され、表示パネル２に入射する。
【００４２】
光Ｌ２の一部は、第２導光板３２に入射する。第２導光板３２に入射した光Ｌ２ａは、第１上部散乱領域４１で散乱される。散乱された光Ｌ５は、第１上部散乱領域４１と重なる位置で、第２導光板３２の第１主面３２ｃから照射される。光Ｌ５は、拡散板１５とプリズムシート１４を通って、表示パネル２に入射する。
【００４３】
また、これに限定されず、第１導光板３１では、光Ｌ１及び光Ｌ２は、側面反射層６１（図３参照）により反射される。このため、光Ｌ１の一部は側面反射層６１で反射されて、第１上部散乱領域４１で散乱される。さらに、光Ｌ２の一部は側面反射層６１で反射されて、第２上部散乱領域４２で散乱される。
【００４４】
このように、本実施形態のバックライト３は、第１光源５５及び第２光源５６と重なる領域においても、光Ｌ４、Ｌ５を表示パネル２に向けて照射することができる。つまり、第１光源５５及び第２光源５６の配置に起因する周辺領域Ｇｄの増大を抑制することができる。このため、図５に示すように、表示パネル２において、バックライト３と重なるほぼ全ての領域を表示領域Ａｄとして用いることができ、周辺領域Ｇｄを小さくすることができる。
【００４５】
第２導光板３２に入射する光Ｌ１ａ、Ｌ２ａは、第１光源５５及び第２光源５６から離れるにしたがって光の強度が小さくなる。上述したように、第１上部散乱領域４１の複数の溝４５は、第１側面３２ａに近づくにしたがって、深くなる。第２上部散乱領域４２の複数の溝４６は、第２側面３２ｂに近づくにしたがって、深くなる。このような構成により、効率よく光Ｌ４、Ｌ５を表示パネル２に照射できる。これにより、第２導光板３２の端部において光Ｌ４及び光Ｌ５の強度が小さくなることを抑制できる。下部散乱領域４３で散乱された光Ｌ３と、第１上部散乱領域４１及び第２上部散乱領域４２で散乱された光Ｌ４、Ｌ５の強度の差を小さくできる。したがって、バックライト３は、均一な光Ｌ３、Ｌ４、Ｌ５を照射できる。
【００４６】
第１上部散乱領域４１、第２上部散乱領域４２及び下部散乱領域４３の構成は、あくまで例示であり、適宜変更することができる。例えば、光を散乱させる構成は、溝４５、４６に限定されない。第１上部散乱領域４１、下部散乱領域４３及び第２上部散乱領域４２は、印刷形成された複数のドット等でもよい。この場合、ドットの粗密を調整することで、第１主面３２ｃから出射する光の光量が均一となるように調整してもよい。第１上部散乱領域４１、第２上部散乱領域４２及び下部散乱領域４３は、第２導光板３２の第１主面３２ｃに設けてもよい。
【００４７】
また、図３から図５は、あくまで模式的に示した図であり、各構成要素の形状や配置は適宜変更できる。例えば、第１導光板３１の厚さは、第１光源５５及び第２光源５６の厚さと異なっていてもよい。第１光源５５及び第２光源５６は、それぞれ第１側面３１ａ及び第２側面３２ｂに接していることが好ましい。これに限定されず第１光源５５及び第２光源５６は、第１側面３１ａ及び第２側面３２ｂと、離隔して設けられていてもよい。
【００４８】
（第１実施形態の変形例）
図６は、第１実施形態の変形例に係る表示装置の断面図である。図６に示すように、本変形例の表示装置１ａにおいて、バックライト３ａは、第１導光板３７と第２導光板３２とを含む。第１導光板３７は、第１主面３７ｃと、第２主面３７ｄと、第１側面３７ａと、第２側面３７ｂとを有する。第１主面３７ｃは、第１傾斜面３７ｆと、第２傾斜面３７ｇとを含む。第１傾斜面３７ｆは、第１側面３７ａから離れるにしたがって第２導光板３２側に近づく方向に傾斜する。第２傾斜面３７ｇは、第２側面３７ｂから離れるにしたがって第２導光板３２側に近づく方向に傾斜する。第１傾斜面３７ｆと第２傾斜面３７ｇとは、同じ傾斜角度を有し、Ｚ方向に平行な直線を対称軸として対称である。
【００４９】
第１傾斜面３７ｆ及び第２傾斜面３７ｇが設けられていることにより、第１主面３７ｃは、全体として第２導光板３２側に凸となる。第１傾斜面３７ｆと第２傾斜面３７ｇとの間に凹部３７ｅが形成されている。凹部３７ｅ内に設けられた光学接着層３５を介して、第１導光板３７は、第２導光板３２に接着される。第１傾斜面３７ｆの端部及び第２傾斜面３７ｇの端部は、第２導光板３２の第２主面３２ｄに接している。このため、第１導光板３７の、第２導光板３２に対するＺ方向の位置決めが容易である。
【００５０】
第２主面３７ｄは、第３傾斜面３７ｈと、第４傾斜面３７ｉとを含む。第３傾斜面３７ｈは、第１傾斜面３７ｆと対向する面であり、第１傾斜面３７ｆと平行に設けられる。第４傾斜面３７ｉは、第２傾斜面３７ｇと対向する面であり、第２傾斜面３７ｇと平行に設けられる。第３傾斜面３７ｈ及び第４傾斜面３７ｉが設けられていることにより、第２主面３７ｄには、第２導光板３２側に凹となる凹部３７ｊが形成される。凹部４７ｊ内に、複数の溝４７、４８から構成される下部散乱領域４３が設けられる。
【００５１】
本変形例では、第１光源５５からの光Ｌ１は、第１傾斜面３７ｆと第３傾斜面３７ｈとの間を通って、第２導光板３２に入射する。第２光源５６からの光Ｌ２は、第２傾斜面３７ｇと第３傾斜面３７ｉとの間を通って、第２導光板３２に入射する。第１傾斜面３７ｆ、第２傾斜面３７ｇ、第３傾斜面３７及び第４傾斜面３７ｉが設けられているため、光の利用効率を向上できる。
【００５２】
なお、第１傾斜面３７ｆ、第２傾斜面３７ｇ、第３傾斜面３７及び第４傾斜面３７ｉのＸ方向の長さや傾斜角度は、あくまで模式的に示したものであり適宜変更できる。例えば、第１傾斜面３７ｆと第２傾斜面３７ｇとは、互いに異なる傾斜角度や長さを有していてもよい。また、第１上部反射層６３は、第１傾斜面３７ｆよりも外側の部分の第１導光板３７と第２導光板３２との間に設けられている。これに限定されず、第１上部反射層６３は、第１傾斜面３７ｆの一部に重なって設けられていてもよい。第２上部反射層６４も同様である。
【００５３】
（第２実施形態）
図７は、第２実施形態に係る表示装置の概略断面構造を示す断面図である。図７に示すように、本実施形態の表示装置１Ａは、表示パネル２とバックライト３Ａを有する。バックライト３Ａは、プリズムシート１４と、拡散板１５、１６と、導光板３３と、第１光源５５と、第２光源５６とを含む。
【００５４】
導光板３３は、第１主面３３ｃと、第２主面３３ｄと、第１側面３３ａと、第２側面３３ｂとを有する。第１主面３３ｃは、Ｘ方向とＹ方向とが成す平面である。第２主面３３ｄは、第１主面３３ｃと反対側の面である。第１側面３３ａは、Ｘ方向と交差する面である。第２側面３３ｂは、第１側面３３ａと対向する面である。導光板３３は、さらに、第１突出部３４ａと第２突出部３４ｂを有する。第１突出部３４ａは、第１側面３３ａに設けられ、第１側面３３ａと交差する方向の外側に突出する。第２突出部３４ｂは、第２側面３３ｂに設けられ、第２側面３３ｂと交差する方向の外側に突出する。
【００５５】
第１突出部３４ａ及び第２突出部３４ｂの上面は、第１主面３３ｃと共通する面である。第１突出部３４ａの第３側面３３ｅは第１側面３３ａよりも外側に位置する。第１突出部３４ａの第３主面３３ｇは、第１主面３３ｃと対向する。第２突出部３４ｂの第４側面３３ｆは第２側面３３ｂよりも外側に位置する。第２突出部３４ｂの第４主面３３ｈは、第１主面３３ｃと対向する。
【００５６】
第１光源５５は、第１側面３３ａと対向して配置される。また、第１光源５５は、平面視で、第１突出部３４ａと重なって配置される。第１光源５５と第１突出部３４ａとの間に第１上部反射層６３が設けられる。第１上部反射層６３の一方の端部は、第１側面３３ａと接している。また、第１上部反射層６３の他方の端部は、第３側面３３ｅと一致する位置に設けられる。
【００５７】
第２光源５６は、第２側面３３ｂと対向して配置される。また、第２光源５６は、平面視で、第２突出部３４ｂと重なって配置される。第２光源５６と第２突出部３４ｂとの間に第２上部反射層６４が設けられる。第２上部反射層６４の一方の端部は、第２側面３３ｂと接している。また、第２上部反射層６４の他方の端部は、第４側面３３ｆと一致する位置に設けられる。第１上部反射層６３及び第２上部反射層６４は、それぞれ第１側面３３ａ及び第２側面３３ｂと接しているため、貼り合わせる際の位置決めが容易である。
【００５８】
第１上部散乱領域４１Ａは、第１突出部３４ａの、第１上部反射層６３に重なる領域に設けられる。第１上部散乱領域４１Ａは、第１突出部３４ａの第３主面３３ｇに設けられた複数の溝４５により構成される。第２上部散乱領域４２Ａは、第２突出部３４ｂの、第２上部反射層６４に重なる領域に設けられる。第２上部散乱領域４２Ａは、第２突出部３４ｂの第４主面３３ｈに設けられた複数の溝４６により構成される。
【００５９】
下部散乱領域４３Ａは、導光板３３の、下部反射層６２と重なる領域に設けられる。下部散乱領域４３Ａは、導光板３３の第２主面３３ｄに設けられた複数の溝４７、４８により構成される。
【００６０】
本実施形態のバックライト３Ａにおいても、第１光源５５及び第２光源５６と重なる領域で、光Ｌ４、Ｌ５を表示パネル２に向けて出射することができる。つまり、第１光源５５及び第２光源５６の配置に起因する周辺領域Ｇｄの増大を抑制することができる。このため、図７に示すように、表示パネル２において、バックライト３Ａと重なる領域を表示領域Ａｄとして用いることができ、周辺領域Ｇｄを小さくすることができる。
【００６１】
導光板３３の第１突出部３４ａ、第２突出部３４ｂ及び各散乱領域は、例えば、ポリカーボネート又はアクリル等の樹脂材料を用い一体成形で形成できる。このため、第１実施形態に比べ、部材の数が少なくなり、第１導光板３１と第２導光板３２とを貼り合わせる工程を省略できる。このため、製造コストを低減できる。
【００６２】
なお、第１上部反射層６３の一方の端部及び第２上部反射層６４の一方の端部には、遮光層６８、６９（図５参照）が設けられていない。本実施形態では、導光板３３に対向して、拡散板１５と、プリズムシート１４と、拡散板１６が設けられる。拡散板１６が加えられていると、観察者から第１光源５５及び第２光源５６が視認されることを抑制することが可能である。
【００６３】
（第２実施形態の変形例）
図８は、第２実施形態の変形例に係る表示装置の概略断面構造を示す断面図である。図８に示すように、本実施形態のバックライト３Ｂは、図７に示すバックライト３Ａと比較して、導光板３３Ｂの第１側面３３Ｂａと第２側面３３Ｂｂとの間の距離が小さい。そして、バックライト３Ａと比較して、導光板３３Ｂの第１突出部３４Ｂａ及び第２突出部３４Ｂｂの長さが長くなっている。第１突出部３４Ｂａは、第１光源５５よりも外側まで延出している。第２突出部３４Ｂｂは、第２光源５６よりも外側まで延出している。
【００６４】
第１上部反射層６３Ｂは、第１光源５５と第１突出部３４Ｂａの間に配置され、かつ、第１光源５５よりも外側の第３主面３３Ｂｇにも設けられる。第１上部反射層６３Ｂの一方の端部は第１側面３３Ｂａに接し、他方の端部は第３側面３３Ｂｅと一致する位置に設けられる。第１上部散乱領域４１Ｂは、第１上部反射層６３Ｂに重なる領域に設けられる。つまり、第１上部散乱領域４１Ｂは、第１光源５５と重なる領域に設けられ、かつ、第１光源５５よりも外側の第３主面３３Ｂｇにも設けられる。
【００６５】
第２上部反射層６４Ｂは、第２光源５６と第２突出部３４Ｂｂの間に配置され、かつ、第２光源５６よりも外側の第４主面３３Ｂｈにも設けられる。第２上部反射層６４Ｂの一方の端部は第２側面３３Ｂｂに接し、他方の端部は第４側面３３Ｂｆと一致する位置に設けられる。第２上部散乱領域４２Ｂは、第２上部反射層６４Ｂに重なる領域に設けられる。つまり、第２上部散乱領域４２Ｂは、第２光源５６と重なる領域に設けられ、かつ、第２光源５６よりも外側の第４主面３３Ｂｈにも設けられる。下部散乱領域４３Ｂは、導光板３３の下部反射層６２Ｂと重なる領域に設けられる。
【００６６】
本変形例では、第１光源５５及び第２光源５６の外側にそれぞれ第１上部散乱領域４１Ｂ及び第２上部散乱領域４２Ｂが設けられる。このため、バックライト３Ｂは、第１光源５５及び第２光源５６の外側においても光Ｌ４、Ｌ５を出射することができる。また、第１側面３３Ｂａと第２側面３３Ｂｂとの間の距離を小さくすることができる。このため、第１突出部３４Ｂａ及び第２突出部３４Ｂｂの下側には、第１光源５５及び第２光源５６の外側に空間が形成される。この空間に表示パネル２の回路基板や制御基板等を配置することも可能である。このため、表示装置１Ｂの小型化を図ることができる。
【００６７】
（第３実施形態）
図９は、第３実施形態に係る表示装置の概略断面構造を示す断面図である。図９に示すように、本実施形態の表示パネル２Ｃは、第１偏光板１２と、第１基材１０Ｃと、第２基材１１Ｃと、第２偏光板１３と、を含む。第１基材１０Ｃ及び第２基材１１Ｃは、第１偏光板１２及び第２偏光板１３よりも外側まで延出している。第１基材１０Ｃ及び第２基材１１Ｃは、例えば樹脂フィルムが用いられる。第１基材１０Ｃ及び第２基材１１Ｃは、折り曲げ可能であり、第２導光板３２Ｃ、拡散板１５及びプリズムシート１４の側面を覆って設けられる。
【００６８】
具体的には、第１基材１０Ｃは、第１領域１０Ｃａと、第２領域１０Ｃｂと、第３領域１０Ｃｃと、第４領域１０Ｃｄと、屈曲領域１０Ｃｅ、１０Ｃｆと、を含む。第２基材１１Ｃは、第１領域１１Ｃａと、第２領域１１Ｃｂと、第３領域１１Ｃｃと、第４領域１１Ｃｄと、屈曲領域１１Ｃｅ、１１Ｃｆと、を含む。
【００６９】
第１基材１０Ｃ及び第２基材１１Ｃは、それぞれ、屈曲領域１０Ｃｅ、１０Ｃｆ、１１Ｃｅ、１１Ｃｆで折り曲げられる。本実施形態では、屈曲領域１０Ｃｅ、１０Ｃｆ、１１Ｃｅ、１１Ｃｆも表示領域Ａｄに含まれる。第１領域１０Ｃａ、１１Ｃａは、Ｚ方向に沿って設けられ、第２導光板３２Ｃの第１側面３２Ｃａ、及び第１側面３２Ｃａと同じ側の拡散板１５及びプリズムシート１４の側面を覆って設けられる。第２領域１０Ｃｂ、１１Ｃｂは、Ｚ方向に沿って設けられ、第２導光板３２Ｃの第２側面３２Ｃｂ、及び第２側面３２Ｃｂと同じ側の拡散板１５及びプリズムシート１４の側面を覆って設けられる。第１基材１０Ｃの第１領域１０Ｃａ、第２領域１０Ｃｂには、ゲート線駆動部９４やデータ線駆動部９６（図２参照）等の各種回路や配線が形成される。これにより、各種回路や配線による制約が少なくなり、表示領域Ａｄを屈曲領域１０Ｃｅ、１０Ｃｆ、１１Ｃｅ、１１Ｃｆまで拡げることができる。
【００７０】
第３領域１０Ｃｃ、１１Ｃｃは、第１領域１０Ｃａ、１１Ｃａから内側に折り曲げられ、第２導光板３２Ｃの第２主面３２Ｃｄと対向する。第４領域１０Ｃｄ、１１Ｃｄは、第２領域１０Ｃｂ、１１Ｃｂから内側に折り曲げられ、第２導光板３２Ｃの第２主面３２Ｃｄと対向する。第４領域１０Ｃｄには、ＦＰＣ８５が接続される。ＦＰＣ８５に、駆動ＩＣ９１が接続される。駆動ＩＣ９１は、表示パネル２Ｃの表示動作を制御する制御回路である。駆動ＩＣ９１には、画像信号制御部９０、階調制御部９２、光源駆動部９８（図２参照）等の各種制御回路が含まれる。
【００７１】
第２導光板３２Ｃは、第１光源５５よりも外側に延出し、かつ第２光源５６よりも外側に延出する。図８に示す例と同様に、第１上部反射層６３Ｃは、第１光源５５と第２導光板３２Ｃの間に配置され、かつ、第１光源５５よりも外側の第２主面３２Ｃｄにも設けられる。第１上部散乱領域４１Ｃは、第１上部反射層６３Ｃに重なる領域に設けられる。つまり、第１上部散乱領域４１Ｃは、第１光源５５と重なる領域に設けられ、かつ、第１光源５５よりも外側の第２主面３２Ｃｄにも設けられる。
【００７２】
第２上部反射層６４Ｃは、第２光源５６と第２導光板３２Ｃの間に配置され、かつ、第２光源５６よりも外側の第２主面３２Ｃｄにも設けられる。第２上部散乱領域４２Ｃは、第２上部反射層６４Ｃに重なる領域に設けられる。つまり、第２上部散乱領域４２Ｃは、第２光源５６と重なる領域に設けられ、かつ、第２光源５６よりも外側の第２主面３２Ｃｄにも設けられる。下部散乱領域４３Ｃは、第１導光板３１Ｃの下部反射層６２Ｃと重なる領域に設けられる。
【００７３】
本変形例では、第１光源５５及び第２光源５６の外側にそれぞれ第１上部散乱領域４１Ｃ及び第２上部散乱領域４２Ｃが設けられる。このため、バックライト３Ｃは、第１光源５５及び第２光源５６の外側においても光Ｌ４、Ｌ５を出射することができる。これにより、屈曲領域１０Ｃｅ、１１Ｃｅ、１０Ｃｆ、１１Ｃｆにも光Ｌ４、Ｌ５を出射できる。このため、平面視で、表示パネル２Ｃのほぼ全ての領域が表示領域Ａｄとなる。
【００７４】
また、第１導光板３１Ｃの第１側面３１Ｃａと第２側面３１Ｃｂとの間の距離を小さくすることができる。このため、第２導光板３２Ｃの下側には、第１光源５５及び第２光源５６の外側に空間が形成される。この空間に表示パネル２Ｃの第３領域１０Ｃｃ、１１Ｃｃ、第４領域１０Ｃｄ、１１Ｃｄ、ＦＰＣ８５及び駆動ＩＣ９１が設けられる。この結果、表示装置１Ｃの小型化を図ることができる。
【００７５】
（第４実施形態）
図１０は、第４実施形態に係る表示装置の概略断面構造を示す断面図である。図１０に示すように、本実施形態の表示装置１Ｄは、表示パネル２Ｃと、バックライト３Ｃと、筐体７１とを有する。表示パネル２Ｃ及びバックライト３Ｃは、第３の実施形態と同様の構成である。筐体７１の内部にバックライト３Ｃが配置される。筐体７１は、金属製である。これに限定されず、筐体７１は、樹脂製であってもよい。
【００７６】
具体的には、筐体７１は、下部筐体７２と、上部筐体７３を含む。下部筐体７２は、底部７２ａと、第１枠体７２ｂとを含む。底部７２ａは第１導光板３１Ｃと対向する。第１枠体７２ｂは、底部７２ａの外周に設けられる。第１枠体７２ｂは、平面視で枠状の部材である。第１枠体７２ｂで囲まれた空間に第１導光板３１Ｃ、第１光源５５、第２光源５６、下部反射層６２Ｃ及びＦＰＣ８２、８４が配置される。
【００７７】
上部筐体７３は、接続部７３ａと、第２枠体７３ｂとを含む。接続部７３ａは、第１枠体７２ｂの上端部に設けられ、第１枠体７２ｂよりも外側に延出する。第２枠体７３ｂは、接続部７３ａの外周に設けられる。第２枠体７３ｂは、平面視で枠状の部材である。第２枠体７３ｂで囲まれた空間に、第２導光板３２Ｃ、第１上部反射層６３Ｃ、第２上部反射層６４Ｃ、拡散板１５及びプリズムシート１４が配置される。第１上部反射層６３Ｃのうち、第１光源５５よりも外側の部分は、接続部７３ａの上に配置される。第２上部反射層６４Ｃのうち、第２光源５６よりも外側の部分は、第１上部反射層６３Ｃとは反対側の接続部７３ａの上に配置される。
【００７８】
第１基材１０Ｃの第１領域１０Ｃａ、１１Ｃａは、第２枠体７３ｂを覆っている。第３領域１０Ｃｃ、１１Ｃｃは、接続部７３ａの下側に配置される。同様に第２領域１０Ｃｂ、１１Ｃｂは、第２導光板３２Ｃに対して第１領域１０Ｃａ、１１Ｃａの反対側に位置する第２枠体７３ｂを覆っている。第４領域１０Ｃｄ、１１Ｃｄは、接続部７３ａの下側に配置される。言い換えると、第２導光板３２Ｃの第１側面３２Ｃａと、第１領域１０Ｃａ、１１Ｃａとの間に第２枠体７３ｂが設けられる。また、第２導光板３２Ｃの第２側面３２Ｃｂと、第２領域１０Ｃｂ、１１Ｃｂとの間にも第２枠体７３ｂが設けられる。
【００７９】
このように、本実施形態では、筐体７１が設けられている。このため、第１基材１０及び第２基材１１を折り曲げて、表示パネル２Ｃとバックライト３Ｃとを組み立てる工程を容易に行うことができる。また、接続部７３ａの下側には、第１枠体７２ｂよりも外側に空間が形成される。この空間に表示パネル２Ｃの第３領域１０Ｃｃ、１１Ｃｃ、第４領域１０Ｃｄ、１１Ｃｄ、ＦＰＣ８５及び駆動ＩＣ９１が設けられる。この結果、表示装置１Ｄの小型化を図ることができる。
【００８０】
なお、本実施形態のバックライト３Ｃは、第１導光板３１Ｃと第２導光板３２Ｃとが重ねられた構成であるが、これに限定されない。第３実施形態に示す、一体成形により形成されたバックライト３Ａ、３Ｂに表示パネル２Ｃを設ける構成であってもよい。
【００８１】
（第４実施形態の第１変形例）
図１１は、第４実施形態の第１変形例に係る表示装置の概略断面構造を示す断面図である。図１１に示すように、本変形例では、第２導光板３２Ｃの厚さｔ２が、第１導光板３１Ｃの厚さｔ１よりも薄くなっている。
【００８２】
第１導光板３１Ｃの厚さｔ１は、例えば第１光源５５及び第２光源５６の高さと同程度である。ここで、厚さｔ１とは、Ｚ方向での第１主面３１Ｃｃと第２主面３１Ｃｄとの間の距離である。厚さｔ２も同様である。第２導光板３２Ｃの厚さｔ２は、例えば、約０．１ｍｍである。
【００８３】
第１導光板３１Ｃの厚さｔ１は、第１光源５５及び第２光源５６の高さにより制限される。つまり、第１導光板３１Ｃの厚さｔ１を薄くしても、第１光源５５及び第２光源５６の高さにより、第１導光板３１Ｃ、第１光源５５及び第２光源５６の全体の厚さが決められる。このため、バックライト３Ｃの薄型化は困難である。本変形例では、第２導光板３２Ｃの厚さｔ２を薄くすることで、バックライト３Ｃの端部、すなわち、第１光源５５及び第２光源５６よりも外側の部分の厚さを薄くできる。
【００８４】
そして、上述したように、接続部７３ａの下側の空間に、表示パネル２Ｃの第３領域１０Ｃｃ、１１Ｃｃ、第４領域１０Ｃｄ、１１Ｃｄ、ＦＰＣ８５及び駆動ＩＣ９１が設けられる。この結果、表示装置１Ｅの薄型化を図ることができる。
【００８５】
（第４実施形態の第２変形例）
図１２は、第４実施形態の第２変形例に係る表示装置の概略断面構造を示す断面図である。図１２に示すように、本変形例のバックライト３Ｆにおいて、第１導光板３１ＦのＸ方向の幅Ｗが、第１上部散乱領域４１Ｆ及び第２上部散乱領域４２Ｆの幅よりも小さい。ここで、幅Ｗは、第１側面３１Ｆａと第２側面３１Ｆｂとの間の距離である。幅Ｗは、例えば、約１０ｍｍ程度である。
【００８６】
ＦＰＣ８６は、第１導光板３１Ｆの第２主面３１Ｆｄに対向して配置される。第１光源５５と第２光源５６は、共通のＦＰＣ８６に接続される。これにより、ＦＰＣ８６の数を少なくすることができる。
【００８７】
本変形例では、ＦＰＣ８６と第１導光板３１Ｆとの間に下部反射層６５が設けられる。下部反射層６５は、ＦＰＣ８６に貼り付けられる。これにより、ＦＰＣ８６は、下部反射層６５を支持する支持基板として用いられる。このため、下部反射層６５の厚さを例えば２０μｍ以上、４０μｍ以下程度に薄くした場合であっても、下部反射層６５の形状を保持できる。
【００８８】
また、第１導光板３１Ｆの幅Ｗが小さいため、下部反射層６５で反射された漏れ光の一部が、光Ｌ３として表示パネル２Ｃに照射される。そのため、第１導光板３１Ｆに下部散乱領域を設けなくてもよい。また下部反射層６５で反射された漏れ光の一部が、第２導光板３２Ｆに進行し、第１上部散乱領域４１Ｆ及び第２上部散乱領域４２Ｆで散乱された光Ｌ４、Ｌ５が照射される。
【００８９】
さらに、第１導光板３１Ｆの幅Ｗが小さいため、接続部７３ａの下側の空間が大きくなる。この空間に、ＦＰＣ８５及び駆動ＩＣ９１等に加え、例えば表示装置１Ｆを含む電子機器の制御基板や制御回路を配置することができる。このため、表示装置１Ｆを含む電子機器の小型化を図ることができる。
【００９０】
（第５実施形態）
図１３は、第５実施形態に係る表示装置の概略断面構造を示す断面図である。図１４は、図１３のＢ−Ｂ線に沿って切断したときの断面図である。図１３に示すように、本実施形態のバックライト３Ｇにおいて、第１光源５５Ａの外側に側面反射層６６が設けられ、第２光源５６Ａの外側に側面反射層６７が設けられている。言い換えると、側面反射層６６と側面反射層６７との間に、第１光源５５Ａ、第１導光板３１Ｇ及び第２光源５６Ａが配置される。
【００９１】
具体的には、図１４に示すように、複数の第１光源５５Ａ、５５Ｂ、５５Ｃ、５５Ｄは、第１側面３１Ｇａに対向して設けられている。複数の第２光源５６Ａ、５６Ｂ、５６Ｃ、５６Ｄは、第２側面３１Ｇｂに対向して設けられている。なお、以下の説明において、第１光源５５Ａ、５５Ｂ、５５Ｃ、５５Ｄを区別して説明する必要がない場合には、単に第１光源５５と表す。また、以下の説明において、第２光源５６Ａ、５６Ｂ、５６Ｃ、５６Ｄを区別して説明する必要がない場合には、単に第２光源５６と表す。
【００９２】
第１導光板３１Ｇは、複数の第１突出部３１Ｇｅと、複数の第２突出部３１Ｇｆと、を有する。複数の第１突出部３１Ｇｅは、第１側面３１Ｇａから突出し、Ｙ方向に間隔を設けて配置される。複数の第２突出部３１Ｇｆは、第２側面３１Ｇｂから突出し、Ｙ方向に間隔を設けて配置される。Ｙ方向に隣り合う第１光源５５の間に、それぞれ第１突出部３１Ｇｅが設けられる。また、Ｙ方向に隣り合う第２光源５６の間に、それぞれ第２突出部３１Ｇｆが設けられる。
【００９３】
本実施形態では、複数の第１突出部３１ＧｅのＹ方向の位置は、複数の第２突出部３１ＧｆのＹ方向の位置と一致する。すなわち、第１光源５５Ａ、５５Ｂ、５５Ｃ、５５ＤのＹ方向の位置は、それぞれ第２光源５６Ａ、５６Ｂ、５６Ｃ、５６ＤのＹ方向の位置と対応する。
【００９４】
側面反射層６６は、Ｙ方向に沿って設けられ、複数の第１突出部３１Ｇｅの端部及び複数の第１光源５５Ａ、５５Ｂ、５５Ｃ、５５Ｄと対向する。側面反射層６７は、Ｙ方向に沿って設けられ、複数の第２突出部３１Ｇｆの端部及び複数の第２光源５６Ａ、５６Ｂ、５６Ｃ、５６Ｄと対向する。
【００９５】
このような構成により、側面反射層６６は、第１導光板３１Ｇの内部を進行する光のうち、各第１光源５５及び第１突出部３１Ｇｅを透過した光を反射する。また、側面反射層６７は、第１導光板３１Ｇの内部を進行する光のうち、各第２光源５６及び第２突出部３１Ｇｆを透過した光を反射する。これにより、第１光源５５からの光Ｌ１（図１３参照）及び第２光源５６からの光Ｌ２（図１３参照）は、第１導光板３１Ｇの内部で反射を繰り返しつつ、第２導光板３２Ｇに進行する。これにより、光の利用効率を向上できる。
【００９６】
なお、第２導光板３２Ｇは、例えば第１実施形態の第１導光板３２と同様の構成を採用することができる。第２導光板３２Ｇの第１側面３２Ｇａは、側面反射層６６の側面と一致する。また、第２側面３２Ｇｂは、側面反射層６７の側面と一致する。これに限定されず、第１側面３２Ｇａ及び第２側面３２Ｇｂは、側面反射層６６及び側面反射層６７よりも外側に配置されていてもよい。
【００９７】
（第５実施形態の変形例）
図１５は、第５実施形態の変形例に係る第１導光板及び光源の平面図である。本変形例の第１導光板３１Ｈでは、第１光源５５Ａ、５５Ｂ、５５Ｃ、５５ＤのＹ方向の位置が、第２光源５６Ａ、５６Ｂ、５６Ｃ、５６ＤのＹ方向の位置とずれて配置される。つまり、第２光源５６Ａ、５６Ｂ、５６Ｃ、５６ＤのＹ方向の位置にそれぞれ対応して、第１突出部３１Ｈｅが設けられる。また、第１光源５５Ａ、５５Ｂ、５５Ｃ、５５ＤのＹ方向の位置にそれぞれ対応して、第２突出部３１Ｈｆが設けられる。
【００９８】
側面反射層６６は、Ｙ方向に沿って設けられ、複数の第１突出部３１Ｈｅの端部及び複数の第１光源５５Ａ、５５Ｂ、５５Ｃ、５５Ｄと対向する。側面反射層６７は、Ｙ方向に沿って設けられ、複数の第２突出部３１Ｈｆの端部及び複数の第２光源５６Ａ、５６Ｂ、５６Ｃ、５６Ｄと対向する。
【００９９】
このような構成により、第１光源５５からの光Ｌ１（図１３参照）のうち、Ｘ方向に進行する光は、第２突出部３１Ｈｆを通って側面反射層６７で反射される。第２光源５６からの光Ｌ２（図１３参照）のうち、Ｘ方向の反対方向に進行する光は、第１突出部３１Ｈｅを通って側面反射層６６で反射される。このように、第１光源５５Ａ、５５Ｂ、５５Ｃ、５５Ｄと、第２光源５６Ａ、５６Ｂ、５６Ｃ、５６Ｄとを互い違いに配置することで、側面反射層６６及び側面反射層６７は、それぞれ第１光源５５及び第２光源５６から直進する強い光を反射することができる。このため、第１導光板３１Ｈの内部での光の利用効率を向上できる。
【０１００】
（第６実施形態）
図１６は、第６実施形態に係るバックライトの平面図である。図１７は、図１６のＣ−Ｃ断面図である。図１６に示すように、本実施形態のバックライト３Ｉにおいて、第１導光板３１Ｉ及び第２導光板３２Ｉは、いずれも平面視で円形状である。第１導光板３１Ｉ及び第２導光板３２Ｉの中心Ｐは一致している。第１導光板３１Ｉの直径は、第２導光板３２Ｉの直径よりも小さい。なお、図１６及び図１７では、表示パネル２（図５）等を省略して示す。本実施形態において、表示パネル２の表示領域Ａｄもバックライト３Ｉに対応する円形状である。また、第１基材１０及び第２基材１１も円形状であってもよい。
【０１０１】
第１導光板３１Ｉの側面３１Ｉａに複数の光源５７が設けられる。複数の光源５７は周方向に沿って等間隔に配置される。光源５７の数は適宜変更できる。例えば、光源５７は、１つ、２つ或いは４つ以上であってもよい。光源５７の配置も等間隔に限定されない。側面反射層６６Ｉは、第１導光板３１Ｉの側面３１Ｉａを囲んで設けられる。また、側面反射層６６Ｉは、第１導光板３１Ｉの全周に連続して設けられる。これに限られず、周方向の一部に間隙が設けられていてもよく、複数に分割されていてもよい。
【０１０２】
図１７に示すように、第１導光板３１Ｉは、第１主面３１Ｉｃと、第２主面３１Ｉｄと、を有する。第２導光板３２Ｉも同様に、第１主面３２Ｉｃと、第２主面３２Ｉｄと、を有する。第２導光板３２Ｉの第２主面３２Ｉｄは、第１導光板３１Ｉの第１主面３１Ｉｃと対向する。第２導光板３２Ｉと第１導光板３１Ｉとは、光学接着層３５Ｉを介して接着される。
【０１０３】
上部反射層６３Ｉは、光源５７と第２導光板３２Ｉとの間に配置される。上部反射層６３Ｉは、光源５７よりも外側において第２主面３２Ｉｄに設けられる。上部反射層６３Ｉの径方向内側の端部は、第１導光板３１Ｉと、第２導光板３２Ｉとの間に設けられる。上部反射層６３Ｉの径方向内側の端部には、遮光層６８Ｉが設けられる。上部反射層６３Ｉ及び遮光層６８Ｉは、平面視で円環状となっている。
【０１０４】
下部反射層６２Ｉは、第１導光板３１Ｉの第２主面３１Ｉｄを覆っている。光源５７に接続されたＦＰＣ８７が設けられた領域には、下部反射層６２Ｉは設けられていない。
【０１０５】
このような構成により、複数の光源５７からの光は、上部反射層６３Ｉ、側面反射層６６Ｉ及び下部反射層６２Ｉで繰り返し反射される。複数の光源５７からの光は、第１導光板３１Ｉの内部で多重反射されることで、均一な光となって第２導光板３２Ｉに進行する。つまり、本実施形態では、第１導光板３１Ｉはいわゆる積分球として機能する。
【０１０６】
図１７に示すように、第１散乱領域４１Ｉは、第２導光板３２Ｉの、上部反射層６３Ｉに重なる領域に設けられる。第１散乱領域４１Ｉは、上部反射層６３Ｉと対応する円環状である。第１散乱領域４１Ｉは、第２導光板３２Ｉの第１主面３２Ｉｃに設けられた複数のドット４９Ａにより構成される。第２散乱領域４２Ｉは、第２導光板３２Ｉの、上部反射層６３Ｉと重ならない領域に設けられる。言い換えると、第２散乱領域４２Ｉは、第１導光板３１Ｉ及び光学接着層３５Ｉと重なる領域に設けられる。第２散乱領域４２Ｉは、第１散乱領域４１Ｉの内側に円形状に設けられる。第２散乱領域４２Ｉは、第２導光板３２Ｉの第１主面３２Ｉｃに設けられた複数のドット４９Ｂにより構成される。
【０１０７】
第２導光板３２Ｉの内部の光は、第２散乱領域４２Ｉと重なる部分では光の強度が大きく、第１散乱領域４１Ｉと重なる部分では、比較的光の強度が小さくなる。ここで、第１散乱領域４１Ｉのドット４９Ａの大きさは、第２散乱領域４２Ｉのドット４９Ｂよりも大きい。また、第１散乱領域４１Ｉのドット４９Ａの配置ピッチは、第２散乱領域４２Ｉのドット４９Ｂの配置ピッチよりも大きい。言い換えると、第１散乱領域４１Ｉでのドット４９Ａの配置密度は、第２散乱領域４２Ｉでのドット４９Ｂの配置密度よりも小さい。ここで、配置密度とは、単位面積あたりのドット４９Ａ及びドット４９Ｂの個数である。このような構成により、第１散乱領域４１Ｉから出射する光は、第２散乱領域４２Ｉから出射する光に比べ散乱が抑制される。これにより、第１主面３２Ｉｃから出射する光の強度のばらつきを抑制できる。
【０１０８】
本実施形態においても、光源５７と重なる領域、及び光源５７よりも外側の領域に第１散乱領域４１Ｉが設けられている。このため、光源５７の配置に起因する周辺領域Ｇｄ（図５等参照）の増大を抑制することができる。このため、表示パネル２において、バックライト３Ｉと重なる領域を表示領域Ａｄとして用いることができ、周辺領域Ｇｄを小さくすることができる。
【０１０９】
（第６実施形態の第１変形例）
図１８は、第６実施形態の第１変形例に係るバックライトの平面図である。図１９は、図１８のＤ−Ｄ断面図である。図１８に示すように、本変形例のバックライト３Ｉにおいて、光源５７は１つのみ設けられている。この場合であっても、光源５７からの光は、上部反射層６３Ｉ、側面反射層６６Ｉ及び下部反射層６２Ｉで繰り返し反射される。複数の光源５７からの光は、第１導光板３１Ｉの内部で多重反射されることで、均一な光となって第２導光板３２Ｉに進行する。
【０１１０】
図１９に示すように、本変形例の第２導光板３２Ｉの厚さｔ３は、第１導光板３１Ｉの厚さｔ４よりも薄くなっている。このため、第２導光板３２Ｉに入射した光は、第１主面３２Ｉｃと第２主面３２Ｉｄとの間での反射の回数が多くなる。これにより、第２導光板３２Ｉを進行する光も均一化されて、第１散乱領域４１Ｉ及び第２散乱領域４２Ｉから、表示パネル２に向けて出射される。したがって、バックライト３Ｉは、光源５７が１つのみ設けられた場合であっても、第２導光板３２Ｉの径方向外側の端部まで均一な光を出射することができる。
【０１１１】
（第６実施形態の第２変形例）
図２０は、第６実施形態の第２変形例に係るバックライトの概略断面構造を示す断面図である。図２０に示すように、本変形例では、第１散乱領域４１Ｉの複数のドット４９Ａの大きさが、径方向の内側から外側に向かうにしたがって大きくなる。また、第１散乱領域４１Ｉのドット４９Ａの配置ピッチは、第２散乱領域４２Ｉのドット４９Ｂの配置ピッチよりも大きい。このような構成により、第１散乱領域４１Ｉの外側に向かうにしたがって光の散乱が抑制される。このため、第２導光板３２Ｉの径方向外側の端部まで均一な光を出射することができる。
【０１１２】
なお、図２０では、複数のドット４９Ａは等しい配置ピッチで設けられているが、これに限定されない。例えば、複数のドット４９Ａの大きさを等しくして、径方向の内側から外側に向かうにしたがって配置ピッチを大きく設けてもよい。或いは、径方向の内側から外側に向かうにしたがって、複数のドット４９Ａの大きさが大きくなり、かつ配置ピッチを大きくしてもよい。第１散乱領域４１Ｉのドット４９Ｂについても、適宜大きさを異ならせてもよいし、配置ピッチを異ならせてもよい。
【０１１３】
図１６から図２０では、第１導光板３１Ｉ及び第２導光板３２Ｉは、いずれも平面視で円形状である。これに限定されず、第１導光板３１Ｉ及び第２導光板３２Ｉの少なくとも一方が、平面視で円形状であってもよい。また、第１導光板３１Ｉ及び第２導光板３２Ｉは、他の形状であってもよい。第１導光板３１Ｉ及び第２導光板３２Ｉは、例えば、平面視で楕円形状、長円形状、多角形状等であってもよい。また、第１導光板３１Ｉ及び第２導光板３２Ｉの外周の一部に、内側に凹む切り欠きや凹部が形成された異形状であってもよい。第１導光板３１Ｉと第２導光板３２Ｉとは、互いに異なる形状であってもよい。
【０１１４】
以上、本発明の好適な実施の形態を説明したが、本発明はこのような実施の形態に限定されるものではない。実施の形態で開示された内容はあくまで一例にすぎず、本発明の趣旨を逸脱しない範囲で種々の変更が可能である。本発明の趣旨を逸脱しない範囲で行われた適宜の変更についても、当然に本発明の技術的範囲に属する。
【０１１５】
例えば、本態様の表示装置は、以下の態様をとることができる。
（１）第１方向及び前記第１方向と交差する第２方向が成す第１主面と、前記第１主面と反対側の第２主面と、第１側面と、を有する第１導光板と、
前記第１導光板と対向して配置され、少なくとも前記第１方向の長さが、前記第１導光板の前記第１方向の長さよりも長い第２導光板と、
前記第１側面と対向する少なくとも１つ以上の第１光源と、
前記第１光源と前記第２導光板との間に設けられた第１上部反射層と、
前記第２導光板の、前記第１上部反射層に重なる領域に設けられ、光を散乱する第１上部散乱領域と、を有する照明装置。
（２）前記第１導光板は、前記第１側面と対向する第２側面を有し、
前記第２側面と対向する複数の第２光源と、
前記第２光源と前記第２導光板との間に設けられた第２上部反射層と、
前記第２導光板の、前記第２上部反射層に重なる領域に設けられ、光を散乱する第２上部散乱領域と、を有する上記（１）に記載の照明装置。
（３）前記第１導光板の前記第２主面に、下部反射層が設けられている上記（１）又は上記（２）に記載の照明装置。
（４）前記第１導光板には、前記下部反射層と重なる領域に、光を散乱する下部散乱領域が設けられている上記（３）に記載の照明装置。
（５）前記第１導光板と前記第２導光板とは、光学接着層で接着されている上記（１）乃至上記（４）のいずれか１つに記載の照明装置。
（６）第１上部反射層の端部は、前記第１側面よりも内側に配置される上記（１）乃至上記（５）のいずれか１つに記載の照明装置。
（７）前記第１上部反射層の端部には、遮光層が設けられる上記（１）乃至上記（６）のいずれか１つに記載の照明装置。
（８）前記第１上部反射層及び前記第１上部散乱領域は、前記第１方向において前記第１光源よりも外側に設けられている上記（１）乃至上記（７）のいずれか１つに記載の照明装置。
（９）前記第１導光板の前記第２主面に対向する１つの接続基板が設けられ、
前記第１光源及び前記第２光源は、前記接続基板に設けられる上記（２）に記載の照明装置。
（１０）前記第２導光板の厚さは、前記第１導光板の厚さよりも薄い、上記（１）から上記（９）のいずれか１つに記載の照明装置。
（１１）前記第１光源は、前記第２方向に複数配置されており、
前記第１光源の間の前記第１側面には、側面反射層が設けられている上記（１）乃至上記（１０）のいずれか１つに記載の照明装置。
（１２）前記第１光源は、前記第２方向に複数配置されており、
前記第１側面には、前記第１方向に突出し、前記第２方向に隣り合う前記第１光源の間に配置された突出部が設けられ、
前記突出部の端部及び前記第１光源と対向する側面反射層が設けられている上記（１）乃至上記（１０）のいずれか１つに記載の照明装置。
（１３）前記第１導光板及び前記第２導光板の少なくとも一方は、平面視で円形状である上記（１）に記載の照明装置。
（１４）前記第２導光板には、前記第１導光板と重なる位置に散乱領域が設けられる上記（１３）に記載の照明装置。
（１５）第１方向及び前記第１方向と交差する第２方向が成す第１主面と、前記第１主面と反対側の第２主面と、第１側面と、前記第１側面から前記第１方向に突出する突出部と、を有する導光板と、
前記第１側面と対向する少なくとも１つ以上の第１光源と、
前記第１光源と前記突出部との間に設けられた第１上部反射層と、
前記突出部の、前記第１上部反射層に重なる領域に設けられる第１上部散乱領域と、を有する照明装置。
（１６）前記第１上部反射層の端部は、前記第１側面と接する上記（１５）に記載の照明装置。
（１７）上記（１）乃至上記（１４）のいずれか１つに記載の照明装置と、
前記照明装置に積層された表示パネルとを有し、
前記表示パネルは、
第１基材と、前記第１基材と対向する第２基材と、前記第１基材と前記第２基材との間に設けられた表示機能層とを有する、表示装置。
（１８）前記第１基材及び前記第２基材は、前記第２導光板の側面を覆う、上記（１７）に記載の表示装置。
（１９）前記第１基材及び前記第２基材と、前記第２導光板の側面との間に枠体が設けられている、上記（１８）に記載の表示装置。
【０１１６】
さらに、本態様の表示装置は、以下の態様をとることができる。
（２０）照明装置と、前記照明装置に積層された表示パネルと、筐体とを有し、
前記照明装置は、
第１方向及び前記第１方向と交差する第２方向が成す第１主面と、前記第１主面と反対側の第２主面と、第１側面と、を有する第１導光板と、
前記第１導光板と対向して配置され、少なくとも前記第１方向の長さが、前記第１導光板の前記第１方向の長さよりも長い第２導光板と、
前記第１側面と対向する少なくとも１つ以上の第１光源と、
前記第１光源と前記第２導光板との間に設けられた第１上部反射層と、
前記第２導光板の、前記第１上部反射層に重なる領域に設けられ、光を散乱する第１上部散乱領域と、を有し、
前記表示パネルは、
第１基材と、前記第１基材と対向する第２基材と、前記第１基材と前記第２基材との間に設けられた表示機能層とを有し、前記第１基材及び前記第２基材は、前記第２導光板の側面を覆っており、
前記筐体は、前記第１導光板の、少なくとも前記第１側面と対向する第１枠体と、前記第１基材及び前記第２基材と、前記第２導光板の側面との間に配置設けられた第２枠体とを含む、表示装置。
（２１）第１方向及び前記第１方向と交差する第２方向が成す第１主面と、前記第１主面と反対側の第２主面と、側面と、を有し、平面視で円形状である第１導光板と、
前記第１導光板と対向して配置され、平面視で、前記第１導光板よりも大きい直径を有する円形状である第２導光板と、
前記側面と対向する少なくとも１つ以上の光源と、
前記光源と前記第２導光板との間に設けられた反射層と、
前記第２導光板の、前記反射層に重なる領域に設けられ、光を散乱する第１散乱領域と、を有する照明装置。
（２２）前記第２導光板の、前記第１導光板と重なる領域であって、前記第１散乱領域と重ならない領域に第２散乱領域が設けられている上記（２１）に記載の照明装置。
（２３）第１方向及び前記第１方向と交差する第２方向が成す第１主面と、前記第１主面と反対側の第２主面と、前記第１方向と交差する第１側面と、を有する第１導光板と、
前記第１導光板と対向して配置され、少なくとも前記第１方向の長さが、前記第１導光板の前記第１方向の長さよりも長い第２導光板と、
前記第１側面と対向する少なくとも１つ以上の第１光源と、
前記第１光源と前記第２導光板との間に設けられた第１上部反射層と、
前記第２導光板の、前記第１上部反射層に重なる領域に設けられ、光を散乱する第１上部散乱領域と、を有し、
前記第１主面は、第１傾斜面と、第２傾斜面と、前記第１傾斜面と前記第２傾斜面との間に設けられた凹部とを含み
前記凹部に設けられた接着層を介して前記第１導光板と前記第２導光板とが接着される照明装置。
【符号の説明】
【０１１７】
１、１Ａ、１Ｂ、１Ｃ、１Ｄ、１Ｅ、１Ｆ  表示装置
２、２Ｃ  表示パネル
３、３Ａ、３Ｂ、３Ｃ、３Ｆ、３Ｇ、３Ｉ  バックライト
１０、１０Ｃ  第１基材
１１、１１Ｃ  第２基材
１４  プリズムシート
１５、１６  拡散板
２５  液晶層
３１、３１Ｃ、３１Ｆ、３１Ｇ、３７  第１導光板
３１ａ、３１Ｃａ、３１Ｆａ、３１Ｇａ、３２ａ、３２Ｃａ、３３ａ、３７ａ  第１側面
３１ｂ、３１Ｃｂ、３１Ｆｂ、３１Ｇｂ、３２ｂ、３２Ｃｂ、３３ｂ、３７ｂ  第２側面
３１ｃ、３１Ｃｃ、３２ｃ、３３ｃ、３７ｃ  第１主面
３１ｄ、３１Ｃｄ、３１Ｆｄ、３２ｄ、３２Ｃｄ、３３ｄ、３７ｄ  第２主面
３２、３２Ｃ、３２Ｆ、３２Ｇ、３２Ｉ  第２導光板
３３  導光板
３４ａ  第１突出部
３４ｂ  第２突出部
３５  光学接着層
４１、４１Ａ  第１上部散乱領域
４２、４２Ａ  第２上部散乱領域
４１Ｉ  第１散乱領域
４２Ｉ  第２散乱領域
４３、４３Ａ  下部散乱領域
４５、４６、４７、４８  溝
４９Ａ、４９Ｂ  ドット
５１  第１照射部
５２  第２照射部
５５、５５Ａ、５５Ｂ、５５Ｃ、５５Ｄ  第１光源
５６、５６Ａ、５６Ｂ、５６Ｃ、５６Ｄ  第２光源
５７  光源
６１、６６、６６Ｉ、６７  側面反射層
６２、６５  下部反射層
６３  第１上部反射層
６４  第２上部反射層
６８、６９  遮光層
７１  筐体
７２  下部筐体
７３  上部筐体
Ａｄ  表示領域
Ｇｄ  周辺領域
【図１】
2019087315.tif 000003
【図２】
2019087315.tif 000004
【図３】
2019087315.tif 000005
【図４】
2019087315.tif 000006
【図５】
2019087315.tif 000007
【図６】
2019087315.tif 000008
【図７】
2019087315.tif 000009
【図８】
2019087315.tif 000010
【図９】
2019087315.tif 000011
【図１０】
2019087315.tif 000012
【図１１】
2019087315.tif 000013
【図１２】
2019087315.tif 000014
【図１３】
2019087315.tif 000015
【図１４】
2019087315.tif 000016
【図１５】
2019087315.tif 000017
【図１６】
2019087315.tif 000018
【図１７】
2019087315.tif 000019
【図１８】
2019087315.tif 000020
【図１９】
2019087315.tif 000021
【図２０】
2019087315.tif 000022